(57)【要約】【課題】送風手段の送風ファンから吹出し口に至る送風経路の構造に工夫を凝らして、送風ファンから吹き出された気流が水槽内に送り込まれるまでの圧力損失を低減させることができる洗濯乾燥機を提供する。【解決手段】洗濯物が投入される脱水槽内に、洗濯物の乾燥用の温風が送風手段９０によって送風される。送風手段９０には、送風される空気を加熱する加熱手段９４が配設されている。送風手段９０は、回転軸を水平方向に持つ送風ファン９２を有しているとともに、送風手段９０には送風ファン９２からの空気の流出方向Ｄ１と送風手段９０の吹出し口９６の開口方向Ｄ２とが同じ平面内にある送風経路９３が形成されている。送風手段９０を大型化することなく、圧力損失が少なくすることができるので、風量を増大させ、洗濯物の乾燥性能を向上し、乾燥行程における騒音を低減することができる。【選択図】図２
2007215902.tif 000002
【特許請求の範囲】
【請求項１】
洗濯物を収容する脱水槽、当該脱水槽を収容する水槽、洗濯物を洗う手段としての攪拌翼、前記脱水槽内に空気を送風する送風手段、前記脱水槽内に送風される空気を加熱する加熱手段を備え、前記送風手段は回転軸を水平方向に持つ送風ファンを有しているとともに、前記送風手段には前記送風ファンから流れ出る空気の方向と前記送風手段の吹出し口の開口方向とが同じ平面内にある送風経路が形成されていることから成る洗濯乾燥機。
【請求項２】
前記送風手段は、吸込み口側方に設置されており且つ前記洗濯乾燥機の内部及び外部を前記吸込み口に接続させる吸気空洞を備えていることから成る請求項１に記載の洗濯乾燥機。
【請求項３】
前記吸気空洞には、前記洗濯乾燥機の機内に向かって下向きに開口した機内空気用開口部と、前記洗濯乾燥機の機外に対して側方又は後方に開口した機外空気用開口部とが形成されていることから成る請求項２に記載の洗濯乾燥機。
【請求項４】
前記吸気空洞は、前記洗濯乾燥機の前記内部及び前記外部を区分して前記吸込み口に接続する仕切り壁を備えていることから成る請求項２又は３に記載の洗濯乾燥機。
【請求項５】
前記吸気空洞は、内部に空洞を形成する曲面状側壁、及び前記曲面状側壁に縁端が摺接しながら回動可能な吸気ルーバを備えていることから成る請求項２又は３に記載の洗濯乾燥機。
【請求項６】
前記吸気ルーバは、洗濯物の乾燥工程の進行に伴って回動されることから成る請求項５に記載の洗濯乾燥機。
【請求項７】
前記送風手段は、吸込み口の側面に垂直に配設されるフィルタを備えており、前記フィルタは前記洗濯乾燥機の筐体の前方より取出し可能であることから成る請求項１〜６のいずれか１項に記載の洗濯乾燥機。
【請求項８】
前記送風手段は、前記吹出し口近傍に配置された温度検知手段、及び前記温度検知手段が検出した吹出し空気の温度に応じて前記送風ファンの回転数を変化させる制御手段を備えていることから成る請求項１〜７のいずれか１項に記載の洗濯乾燥機。
【請求項９】
前記洗濯乾燥機の上側側面に換気ファンが配設されており、前記制御手段は、乾燥工程中に前記送風手段からの前記吹出し空気の温度が設定温度を超えた際に、前記換気ファンを運転させることから成る請求項８に記載の洗濯乾燥機。
【発明の詳細な説明】
【技術分野】
【０００１】
本発明は、洗い、濯ぎ、脱水の洗濯行程と乾燥工程を備えた洗濯乾燥機に関する。
【背景技術】
【０００２】
従来、洗濯乾燥機として、洗濯物を収容する脱水槽と、脱水槽を収容する水槽と、洗濯物を洗う手段としての攪拌翼と、前記脱水槽内に温風を送風する送風手段と、送風手段により送風される空気を加熱する加熱手段を備えたものが提供されている。乾燥工程では、送風手段を駆動させて吸気口より筐体の外側又は内側から吸気された乾燥用空気が、加熱手段を通過することで加熱され、吹出し口より水槽内部に送り込まれる。水槽内にて衣類の水分を奪って湿気を含んだ温風は、排気フィルタを介して洗濯乾燥機内に排出される。この際、攪拌翼の回転により、温風が当たる洗濯物が随時入れ替わることにより乾燥工程を進行させていく。
【０００３】
送風手段として、吹出す温風の風量を確保するため、送風ファンの回転軸を鉛直方向に配置して送風手段下方より吸気を行うか、あるいは、送風ファンの回転軸を水平方向に配置して外枠カバーの後方から吸気する構成とした洗濯乾燥機が提案されている（特許文献１参照）。
【特許文献１】特開２００３−３０５２９２号公報
【発明の開示】
【発明が解決しようとする課題】
【０００４】
しかしながら、このような従来の構成では、送風ファンから送り出される温風の方向と送風手段の吹出し口の方向が一致していないため、温風の経路は水槽内に送り込まれる前に少なくとも一度は屈曲せざるを得ない。そのため、温風が被る圧力損失が大きくなって温風の風量が減少している。
【０００５】
図６、図７は、乾燥洗濯機に適用される従来の送風手段の例を示す斜視図である。図６又は図７に示すように、洗濯物の乾燥を行うために送風手段９０が設けられている。送風手段９０は、送風箱９１内に、モータ９９で駆動される送風ファン９２と、送風ファン９２の出口側に設けられて送風機９２から送られてくる空気を加熱する加熱手段９４とを備えている。送風ファン９２によって送り出された空気は、加熱手段９４を通る際に加熱されて８０℃程度の温風になる。温風は、送風箱９１から蛇腹管９８を通じて、水槽内に送り込まれる。図６に示す例では、手前側へと矢印方向に吸引された空気は、９０度屈曲して加熱手段９４に向かい、そこで更に捻られるように屈曲した流れとなって蛇腹管９８を通じて送り出される。図７に示す例では、下方から矢印方向に吸引された空気は、９０度屈曲して加熱手段９４に向かい、そこで更に捻られるように屈曲した流れとなって蛇腹管９８を通じて送り出される。いずれの例でも吸入された空気は、水槽に吹き出されるまでに何度かの屈曲しつつ流れるので、圧力損失が大きくなりやすい。
【０００６】
風量を確保する一つの方策として、送風ファン９２の回転数を増加させて風量減少を補うことがあるが、この対策では、モータ９９や送風ファン９２が騒音の原因となっている。また、風量を確保する別の方策として送風ファン９２の直径を大きくすることが挙げられるが、この対策では送風手段９０が大がかりなものになる。
【０００７】
そこで、送風手段の送風ファンから吹出し口に至る送風経路の構造に工夫を凝らして、送風ファンから吹き出された気流が水槽内に送り込まれるまでの圧力損失を低減させる点で解決すべき課題がある。
【０００８】
本発明は上記課題を解決するものであり、本発明の目的は、送風手段を大型化することなく、圧力損失の少ない送風手段によって風量を増大させ、洗濯物の乾燥性能を向上し、乾燥行程における騒音を低減する洗濯乾燥機を実現することである。
【課題を解決するための手段】
【０００９】
上記目的を達成するため、本発明による洗濯乾燥機は、洗濯物を収容する脱水槽、当該脱水槽を収容する水槽、洗濯物を洗う手段としての攪拌翼、前記脱水槽内に空気を送風する送風手段、前記脱水槽内に送風される空気を加熱する加熱手段を備え、前記送風手段は回転軸を水平方向に持つ送風ファンを有しているとともに、前記送風手段には前記送風ファンから流れ出る空気の方向と前記送風手段の吹出し口の開口方向とが同じ平面内にある送風経路が形成されていることから成っている。
【００１０】
この洗濯乾燥機によれば、水槽内に収容されている脱水槽内に洗濯物を入れて、洗濯、濯ぎ、脱水が行われる。脱水後に洗濯物を乾燥させる場合には、送風手段により空気を水槽内に送風し、その際に、送風される空気を加熱手段で加熱することで、加熱された空気である温風が水槽内に送風される。乾燥時には、攪拌翼を回転させて、洗濯物に万遍なく温風を当てることが好ましい。この洗濯乾燥機においては、送風ファンの姿勢と送風経路との組合せとして工夫が施されている。即ち、送風ファンの回転軸を水平方向とし、送風手段には、送風ファンから流れ出る空気の方向と送風手段の吹出し口の開口方向とが同じ平面内にあるように送風経路が形成されている。したがって、送風ファンから送り出された空気が三次元的に大きく屈曲することがなく、送風される空気の圧力損失を小さくすることができる。
【００１１】
上記洗濯乾燥機において、前記送風手段は、吸込み口側方に設置されており且つ前記洗濯乾燥機の内部及び外部を前記吸込み口に接続させる吸気空洞を備えることができる。吸込み口側方に吸気空洞を設置することにより、送風手段は、洗濯乾燥機の内部に存在する温度の高い空気と、洗濯乾燥機の外部の乾燥した空気との双方を吸い込むことができる。また、前記吸気空洞には、前記洗濯乾燥機の機内に向かって下向きに開口した機内空気用開口部と、前記洗濯乾燥機の機外に向かって側方又は後方に開口した機外空気用開口部とを形成することができるので、下方に存在する機内の比較的高温の空気は下向きに開口した機内空気用開口部を通じて吸気され、機外周囲に存在する乾燥した（比較的低温な）機外空気は、側方又は後方に開口した機外空気用開口部を通じて吸気される。
【００１２】
吸気空洞を備えた上記洗濯乾燥機において、前記吸気空洞は前記洗濯乾燥機の前記内部及び前記外部を区分して前記吸込み口に接続する仕切り壁を備えることができる。吸気空洞内に仕切り壁を設けることで、洗濯乾燥機の内部の空気と外部の空気とが吸気空洞内で混合されることなく、区分されて且つ直接に送風手段の吸込み口に吸い込まれる。したがって、双方の性質の異なる空気を確実に混合させて送風手段から吹き出すことができる。
【００１３】
吸気空洞を備えた上記洗濯乾燥機において、前記吸気空洞は、内部に空洞を形成する曲面状側壁、及び前記曲面状側壁に縁端が摺接しながら回動可能な吸気ルーバを備えることができる。吸気空洞内において吸気ルーバの回動位置を変更することで、送風手段が吸い込むべき洗濯乾燥機内の空気と機外周辺の空気の吸気割合が変更可能である。吸気空洞には曲面状に形成された側壁を持たせ、吸気ルーバの縁端を曲面状側壁に摺接しながら回動ことにより、洗濯乾燥機の内部及び外部からの吸気が吸気空洞において混合するのを防止しながら、吸気に生じる圧力損失を小さくすることができる。
【００１４】
回動可能な吸気ルーバを備える上記洗濯機において、前記吸気ルーバを洗濯物の乾燥工程の進行に伴って回動させることができる。洗濯物の乾燥工程の進捗状況に伴って、吸込み口において内部空気を吸う開口部と周囲空気を吸う開口部の面積比を変更することで、洗濯乾燥機の内部からと周辺外部からとの吸気割合を変化させることができる。これにより、洗濯物の乾燥工程の進捗状況に応じて、吸気される空気の温度と湿度を洗濯物の乾燥条件に良い態様で制御することができる。
【００１５】
この洗濯乾燥機において、前記送風手段は、前記吸込み口の側面に垂直に配設されるフィルタを備えており、前記フィルタは前記洗濯乾燥機の筐体の前方より取出し可能とすることができる。この洗濯乾燥機によれば、吸気フィルタを配設することで送風ファンに吸込まれる異物を回収でき、吸気フィルタを洗濯乾燥機の筐体の前方より取出し可能とすることで、使い勝手のよい洗濯乾燥機を提供することができる。送風手段が吸気空洞を備える場合には、吸気フィルタを、送風手段の吸込み口側において吸気空洞に取出し可能に設けることで、吸気フィルタと吸気空洞とをユニット化することができる。
【００１６】
この洗濯乾燥機において、前記送風手段は、前記吹出し口近傍に配置された温度検知手段、及び前記温度検知手段が検出した吹出し空気の温度に応じて前記送風ファンの回転数を変化させる制御手段を備えることができる。吹出し口近傍に温度検知手段を配置させて、温度検知手段が検出した吹出し空気の温度に応じて制御手段が送風ファンの回転数を変化させることで、吹出し口での温風温度を乾燥工程の進捗状況に応じて自動的に制御することができる。
【００１７】
吹出し空気の温度に応じた送風制御を行う上記洗濯乾燥機において、洗濯乾燥機の上側側面に換気ファンを配設し、前記制御手段は、乾燥工程中に前記送風手段からの前記吹出し空気の温度が設定温度を超えた際に、前記換気ファンを運転させることができる。送風手段の吸気を洗濯乾燥機内部から行う場合、乾燥工程の進行に従って洗濯乾燥機内の湿度と温度が上昇し、加熱手段を通過した温風が必要以上に熱くなろうとする場合には、換気ファンを運転することで、湿度及び温度を低下させることにより、洗濯乾燥機を構成する樹脂部品などの劣化を招く、或いは温風の湿度が上昇することによって乾燥の効率が悪化するという問題を未然に防止することができる。
【発明の効果】
【００１８】
この発明による洗濯乾燥機は、上記のように構成されているので、温風の水槽内への吹き出し及び吸込みの態様に柔軟性が備わり、送風される温風の圧力損失が少ないため、状況に応じて洗濯物を乾燥するための温風の温度と湿度を良好に制御できるので、全体としての乾燥効率のなお一層の向上を図ることができる。その結果、送風ファンを駆動するファンモータの回転数が低い場合或いは送風ファンの直径を小さくした場合でも風量を確保することができる。
【発明を実施するための最良の形態】
【００１９】
以下、添付した図面に基づいて、この発明による洗濯乾燥機の実施例を説明する。図１は本発明による洗濯乾燥機の一実施例を示す縦断面図である。
【００２０】
図１には、洗濯乾燥機１の全体構成が縦断面図として示されており、左側が洗濯機１の正面、右側が背面である。洗濯乾燥機１は、全自動型のものであり、金属又は合成樹脂製の外箱１０を備えている。外箱１０は、直方体形状に成形され、その上面及び底面は開口部となっている。外箱１０の上面開口部には、操作パネル等が設けられた合成樹脂製の上面板１１がネジ（図示せず。以下、特に言及しない限り、図１においては、固着用のネジについて図示を省略する）で固定されている。
【００２１】
洗濯乾燥機１の背面側においては、合成樹脂製のバックパネル１２が外箱１０又は上面板１１にネジで固定されている。外箱１０の底面開口部には、合成樹脂製のベース１３がネジで固定されている。ベース１３の四隅には、外箱１０を床の上に支えるための脚部１４ａ，１４ｂが設けられている。正面側の脚部１４ａは、レベル出しのために高さ可変とした調整脚であり、背面側の脚部１４ｂはベース１３に一体成形した固定脚である。
【００２２】
上面板１１には、洗濯乾燥機１内に洗濯物を投入するための洗濯物投入口１５が形設されている。上蓋１６は、上面板１１にヒンジ部１７によって垂直面内で回動可能に結合されており、図示の閉じた状態では、洗濯物投入口１５を上から覆っている。外箱１０の内部には、外側の水槽２０と脱水槽３０とが配置されている。水槽２０は、外箱１０に対してサスペンション部材２１によって水平面内で揺動可能に吊り下げ支持されている。また、脱水槽３０は、水槽２０の内側において水槽２０と同心状に配設されており、洗濯槽を兼ねている。水槽２０と脱水槽３０とは、両者とも上面が開口した円筒形のカップの形状を呈しており、各々の軸線が鉛直方向となっている。
【００２３】
脱水槽３０は、上方に向かうにつれて緩やかに広がるテーパー形状の周壁を有している。この周壁には、その最上部に環状に配置した複数個の脱水孔（図示せず）を除き、液体を通すための開口部は形成されておらず、脱水槽３０は、いわゆる「孔無し」タイプである。脱水槽３０の上部開口部の縁には、環状のバランサ３２が装着されている。バランサ３２は、洗濯物の脱水のために脱水槽３０を高速回転させたときに、その振動を抑制する働きをする。脱水槽３０の内部底面には、槽内で洗濯水又は濯ぎ水の流動を生じさせるための攪拌翼３３が配置されている。
【００２４】
水槽２０の下面には、駆動ユニット４０が装着されている。駆動ユニット４０は、モータ４１、モータ４１の出力回転を伝動するベルト伝動機構４２及びクラッチ・ブレーキ機構４３を含んでおり、その中心部から脱水軸４４と攪拌翼軸４５とが上向きに突出している。脱水軸４４と攪拌翼軸４５とは、脱水軸４４が外側に配置され、攪拌翼軸４５が内側に配置された二重軸構造となっている。脱水軸４４は、下方から上方に向かって水槽２０の中に入り込んだ後、脱水槽３０に連結し、これを支えている。攪拌翼軸４５は、下方から上方に向かって水槽２０を貫いて更に脱水槽３０の中に入り込み、攪拌翼３３に連結し、これを支えている。攪拌翼３３は、５５〜３００ｒｐｍの回転を行い、洗濯又は濯ぎを行う。脱水時には脱水槽３０と一緒に０〜１０００ｒｐｍで回転し、脱水を行う。脱水軸４４と水槽２０との間、及び脱水軸４４と各品翼軸４５の間には、各々、水漏れを防ぐためのシール部材（図示せず）が配置されている。
【００２５】
バックパネル１２の下の空間には、電磁的に開閉する給水弁（図示せず）が配置されている。給水弁に接続され且つバックパネル１２を貫通して上方に突きだす接続管５１には、水道水などの上水を供給する給水ホース（図示せず）が接続される。また、給水弁は、脱水槽３０の内部に臨む位置に配置された容器状の給水口に接続されている。
【００２６】
水槽２０の底部には、水槽２０及び脱水槽３０の中の水を外箱１０の外に排水する排水ホース６０が取り付けられている。排水ホース６０には、電磁的に開閉制御される排水弁６８を通じて、排水口６１に接続されている。脱水時に脱水槽３０の外側へ出た水は、図示しない排水管を通じて排水ホース６０に流される。脱水槽３０の下部には、脱水軸４４の周囲において、排水孔６７が円周上に４箇所設けられている。脱水槽３０内部の水は、排水孔６７を通じて排水口６１に導かれ、更に開弁している排水弁６８を通じて排水ホース６０に排水される。
【００２７】
上記した構造においては、シャフト４４，４５と脱水槽３０はモータ４１によって回転駆動される。回転翼３３が回る洗濯時には、脱水槽３０内の水は閉弁状態にある排水弁６８によって止水され、脱水槽３０内には水が貯められる。脱水を行うときは排水弁６８が開弁され、脱水槽３０内の水は排水ホース６０を通じて外部に排水される。
【００２８】
外箱１０の正面側には、制御部８０が配置されている。制御部８０は、上面板１１の下に置かれており、上面板１１の上面に設けられた操作／表示部（図示せず）を通じて使用者からの操作指令を受け、駆動ユニット４０、給水弁及び排水弁６８に動作指令を発する。また、制御部８０は、操作／表示部に表示指令を発する。
【００２９】
水槽２０の上端部に設けられるフランジ部８１には、内蓋８２がヒンジ８３によって回動可能に取り付けられている。内蓋８２は、洗擢・濯ぎ・脱水時に、洗濯物や水が脱水槽３０から外に飛び出すのを防止している。
【００３０】
洗濯物の乾燥を行うため、送風手段９０が設けられている。送風手段９０は、送風箱９１内に、送風ファン９２と、送風ファン９２の出口側に設けられて送風ファン９２から送られてくる空気を加熱する加熱手段９４とを備えている。温風は、送風箱９１から、水槽２０のフランジ部８１と送風手段９０の吹き出し口の間に設けられた蛇腹管９８を通じて、水槽２０内に送り込まれる。送風手段９０の基本的な機能は、図６又は図７に示すものと同等である。
【００３１】
図１に示した送風手段９０の詳細が、図２に示す斜視図に示されている。図１において示した構造についての再度の説明は省略する。送風箱９１には、モータ９９が配設されており、モータ９９によって送風ファン９２が駆動される。送風箱９１において、吸込み口９５側は洗濯乾燥機１の正面から見て側方に開口している。他方、送風手段９０の吹出し口９６の開口方向Ｄ２は、送風ファン９２から流れ出る空気の方向Ｄ１と同じ平面内にある。吸込み口９５及び吹出し口９６の上記開口方向の設定によって、送風ファン９２から送りだされ且つ加熱手段９４を通過した温風は、送風箱９１内で大きく屈曲することなく送風経路９３を通じて吹出し口９６から吹き出され、更に蛇腹管９８を通じて水槽２０内に送り込まれる。蛇腹管９８は、洗濯乾燥機１の運転時に振動等に起因した出入り口間の相対変位を吸収することができる。
【００３２】
送風手段９０の吹出し口９６には、温度検知手段９７が設置されている。吹出される温風の温度（吹出し温度）に応じて送風ファン９２の回転数を変化させることができる。また、乾燥工程が進むに従って吹出し温度が過大に上昇した際には、加熱手段９４の通電の停止や発熱量の低減などの制御を加えることができる。
【００３３】
図３及び図４は、図２に示す送風手段に吸気空洞を取り付けた状態を示す斜視図である。図３に示すように、送風手段９０の吸込み口９５（図２参照）の側方には、送風ファン９２の吸込みを圧力損失が少なくスムーズに行えるよう、吸気空洞１００が設けられている。吸気空洞１００内には、仕切り壁１０２が設置されている。即ち、仕切り壁１０２は、乾燥工程中に温度が上昇した洗濯乾燥機１内の空気と湿気の少ない周囲の空気の両方を送風手段９０がスムーズに吸気できるように、吸込み口９５を斜めに区分する態様で配置されている。仕切り壁１０２によって、送風手段９０の吸込み口９５側の開口部は、洗濯乾燥機１内の空気を吸込ませるために下向きに開口した機内空気用開口部１０３と、機外の周囲の空気を吸込ませるため後方に開口している周囲空気用開口部１０４とに分かれて接続されている。機内空気用開口部１０３と周囲空気用開口部１０４に面積比を与えることで、送風手段９０は洗濯物の乾燥条件によい吸気割合で、機内と周囲の空気双方を吸気することができる。
【００３４】
また、図４には、別の吸気空洞１００ａが示されており、曲面状の側壁１０１に摺接するような可動な吸気ルーバ１０５が配設されている。吸気ルーバ１０５を駆動モータ１０６により回転駆動して吸気ルーバ１０５の傾きを変更することによって、下方に向いて開口している機内空気用開口部１０３と、後方に向かって開口している周囲空気用開口部１０４との面積比を変化させることができる。吸気ルーバ１０５の回動は、洗濯物の乾燥工程における進捗状況に伴って、効率の良い乾燥を行わせるために自動的に制御することができる。そのための制御装置は、送風手段９０内に配置してもよいが、外箱１０の正面側に設けられた制御部８０に設けることが好ましい。これにより、洗濯乾燥機１の機内空気と機外周辺の空気との吸気割合を変化させることができ、送風手段９０が吸気する空気の温度と湿度を洗濯物の乾燥条件に良いように、時間経過と共に制御することができる。
【００３５】
図５は、図４に示す吸気空洞１００ａにおいて吸気ルーバ１０５の傾きによって筐体内の空気と周辺の空気の吸気割合を変化させる態様を示す説明図である。図５ａは吸気ルーバ１０５が垂直の角度を取るときの態様を示しており、下方に向いて開口している機内空気用開口部１０３を通じて外箱１０内の空気のみが吸気される。図５ｃは吸気ルーバ１０５が水平の角度を取るときの態様を示しており、後方に向かって開口している機外空気用開口部１０４を通じて周囲の空気のみが吸気される。図５ｂは吸気ルーバ１０５がある斜方の角度を取るときの態様を示しており、その角度に応じた割合で機内空気用開口部１０３及び機外空気用開口部１０４を通じて両方の空気が吸気される。
【００３６】
図３、図４に示すように、吸気空洞１００、１００ａの吸込み口側の開口部と送風手段の吸込み口９５の間にはフィルタ収納部１０７が設けられ、吸気フィルタ１０８が垂直に納められている。送風ファン９２に吸気される空気は吸気フィルタ１０８を通過する際に異物が回収される。吸気フィルタ１０８は水平方向前方に取り出すことが可能であり、ユーザは吸気フィルタ１０８を取り外して、蓄積した異物を除去することができる。
【００３７】
上面板１１の側面には、乾燥運転により、外箱１０内に蓄積した湿気を排出する換気ファン１０９（図１参照）が配設されている。乾燥工程前期において、外箱１０内の温まった空気を送風手段９０に送り込むことは加熱手段９４の消費電力の低減に効果を示すが、乾燥工程後期においては外箱１０内にある空気は湿気を多く含むため乾燥の進行に悪影響となる。換気ファン１０９の運転で外箱１０内の湿った空気を外部に排出することにより、送風手段９０はより湿度の低い空気を吸気することができる。また、換気ファン１０９の運転により、送風手段９０が吸気した空気温度の上昇で脱水槽３０内に吹出される空気温度が高温になり過ぎることに起因した樹脂部品等の劣化を防ぐことができる。
【図面の簡単な説明】
【００３８】
【図１】本発明による洗濯乾燥機の全体構成の一例を示す縦断面図である。
【図２】図１に示した送風手段の詳細を示す斜視図である。
【図３】図２に示す送風手段に吸気空洞を取り付けた状態を示す斜視図である。
【図４】図２に示す送風手段に別の吸気空洞を取り付けた状態を示す斜視図である。
【図５】図４に示す吸気空洞において吸気ルーバの傾きによって筐体内の空気と周辺の空気の吸気割合を変化させる態様を示す説明図である。
【図６】乾燥洗濯機に適用される従来の送風手段の一例を示す斜視図である。
【図７】乾燥洗濯機に適用される従来の送風手段の別の例を示す斜視図である。
【符号の説明】
【００３９】
１  洗濯乾燥機          １０  外箱              １１  上面板
１２  バックパネル        １３  ベース            １４ａ，１４ｂ  脚部
１５  洗濯物投入口        １６  上蓋              １７  ヒンジ部
２０  水槽                ２１  サスペンション部材
３０  脱水槽              ３２  バランサ          ３３  攪拌翼
４０  駆動ユニット        ４１  モータ            ４２  ベルト伝動機構
４３  クラッチ・ブレーキ機構      ４４  脱水軸    ４５  攪拌翼軸
５１  接続管              ６０  排水ホース        ６１  排水口
６７  排水孔              ６８  排水弁
８０  制御部              ８１  フランジ部        ８２  内蓋
８３  ヒンジ
９０  送風手段            ９１  送風箱            ９２  送風ファン
９３  送風経路            ９４  加熱手段          ９５  吸込み口
９６  吹出し口            ９７  温度検知手段      ９８  蛇腹管
９９  モータ              １００，１００ａ  吸気空洞
１０１  側壁              １０２  仕切り壁
１０３  機内空気用開口部          １０４  機外空気用開口部
１０５  吸気ルーバ        １０６  駆動モータ
１０７  フィルタ収納部    １０８  吸気フィルタ      １０９  換気ファン
Ｄ１  送風ファンからの空気の流出方向
Ｄ２  送風手段の吹出し口の開口方向
【図１】
2007215902.tif 000003
【図２】
2007215902.tif 000004
【図３】
2007215902.tif 000005
【図４】
2007215902.tif 000006
【図５】
2007215902.tif 000007
【図６】
2007215902.tif 000008
【図７】
2007215902.tif 000009